(57)【要約】【課題】オゾンガスを空間の全体にわたって一定濃度となるように放出し、かつオゾン濃度が意図する濃度を超えて放出されることがない、オゾン消毒器を提供する。【解決手段】所定の空間内に設置され、該空間を消毒するオゾンガス消毒装置において、該オゾンガス消毒装置の筐体の外表面に備え付けられて該筐体の内部で連通してなる１または２以上の吸気口および排気口、該吸気口と該排気口の間に備えられてなるオゾンガス発生器、ならびに該吸気口と該オゾンガス発生器との間に備えられてなるオゾンガス分解フィルタを含むという構成を採用する。【選択図】図２
2020146471.tif 000002
【特許請求の範囲】
【請求項１】
所定の空間内に設置され、該空間を消毒するオゾンガス消毒装置であって、
該オゾンガス消毒装置の筐体の外表面に備え付けられ、該筐体の内部で連通してなる、１または２以上の吸気口および排気口、
該吸気口と該排気口の間に備えられてなる、オゾンガス発生器、ならびに
該吸気口と該オゾンガス発生器との間に備えられてなる、オゾンガス分解フィルタを含む、前記オゾンガス消毒装置。
【請求項２】
オゾンガス発生器が、紫外線方式によるものである、請求項１に記載のオゾンガス消毒装置。
【請求項３】
オゾンガス分解フィルタがオゾン分解金属触媒を含む、請求項１または２に記載のオゾンガス消毒装置。
【請求項４】
２ｐｐｍのオゾン濃度の空気に対するオゾンガス分解フィルタのオゾンガス分解効率が７０％以上である、請求項１〜３のいずれか一項に記載のオゾンガス消毒装置。
【請求項５】
オゾンガス発生器の上流および／または下流に１または２以上の除塵フィルタを備える、請求項１〜４のいずれか一項に記載のオゾンガス消毒装置。
【請求項６】
除塵フィルタがＨＥＰＡフィルタである、請求項５に記載のオゾンガス消毒装置。
【請求項７】
オゾンガス発生器から発生したオゾンガスを空間内において循環させるための送風部を備えた、請求項１〜６のいずれか一項に記載のオゾンガス消毒装置。
【発明の詳細な説明】
【技術分野】
【０００１】
本発明は、オゾンガスを放出させて、消毒を行う装置に関する。
【背景技術】
【０００２】
手術室における定期消毒時、動物実験施設における動物入れ替え時、医薬製造施設における製造薬剤切り替え時、再生医療施設における培養物切り替え時などにおいては従来、微生物の殺菌およびウイルスの不活化などの消毒のため、ホルムアルデヒドを室内に充満させて、室内の全表面を殺菌する方法が用いられていた。しかしホルムアルデヒドは近年、発がん性など、人体への影響が指摘されている。
【０００３】
ホルムアルデヒド以外を用いる代替の殺菌方法としては、オゾン、過酢酸系除菌剤、二酸化塩素、過酸化水素を用いる方法が提唱されている。このなかでもオゾンは、強力な酸化力を有し、殺菌、消毒等の作用を有するため、浄水場をはじめ、幅広い分野で利用されており、オゾンガス燻蒸による消毒方法が、手術室の定期消毒時などにおいて用いられるようになってきている。
【０００４】
オゾンガス燻蒸による消毒のための従来のオゾンガス消毒器は、空気中のオゾン濃度を高めて消毒能力を確保するために、空間循環後のオゾンガス含有再吸入空気におけるオゾン濃度を維持したままオゾンガス発生器に通過させることにより、より高濃度のオゾンガスを含む空気を空間内に再放出するようになっている。特許文献１には、医療施設等の空間内でより短時間に消毒を行い、消毒後のオゾンガスは、オゾンガス発生器とは別に備えられるオゾンガス分解用のユニットを用いて分解し、除去するプロセスおよびシステムが開示されている。
【０００５】
しかしオゾンガスも毒性を有しており、ヒトは０．０１〜０．０２ｐｐｍ程度でオゾンの臭気を感じ、０．１ｐｐｍ程度から鼻、のどの刺激、０．２〜０．５ｐｐｍで視力の低下、０．４〜０．５ｐｐｍで上部気道の刺激、０．６〜０．８ｐｐｍで胸痛、せき、１〜２ｐｐｍで疲労感、頭痛、頭重、呼吸機能の変化、５〜１０ｐｐｍで呼吸困難、脈拍増加、５０ｐｐｍ以上で生命の危険がそれぞれ起こるため、作業環境基準（日本産業衛生学会、許容濃度  ０．１ｐｐｍ〔労働者が１日８時間、週４０時間程度、肉体的に激しくない労働強度で有害物質に曝露される場合に、当該有害物質の平均曝露濃度がこの数値以下であれば、ほとんどすべての労働者に健康上の悪い影響がみられないと判断される濃度〕、提案年度  １９６３年）、室内環境基準（０．０５ｐｐｍ〔２４ｈ  最大許容濃度、アメリカ合衆国食料医薬品局（ＦＤＡ）、１９９２年〕；最高０．１ｐｐｍ、平均０．０５ｐｐｍ〔オゾンを発生する器具による室内ガスの許容濃度〕、設計基準、暫定（１９６７年）、日本空気清浄協会）などが定められている。またエアコンや冷蔵庫など、家電製品においてもオゾンは広く利用されているが、安全性への配慮もされており、基本的にはオゾンが室内には漏れ出ないような構造となっており、万が一漏れ出した場合にも、０．０５ｐｐｍ以下となるように設計されている（非特許文献１）。
【先行技術文献】
【特許文献】
【０００６】
【特許文献１】特表２０１２−５３１９７９号公報
【非特許文献】
【０００７】
【非特許文献１】独立行政法人  国民生活センター  「家庭用オゾンガス発生器の安全性」  平成２１年８月２７日
【発明の概要】
【発明が解決しようとする課題】
【０００８】
従来のオゾンガス消毒器は、空間内のオゾン濃度を高くすることが可能である一方、時間的および空間的にオゾン濃度を調節することが難しく、空間内のオゾン濃度は不安定である。例えば医療施設などにおいて１つの部屋を消毒する場合、従来のオゾンガス消毒器では、消毒中のオゾン濃度を消毒期間にわたって一定に維持することが困難であった。また、部屋の四隅、天井と床、オゾンガス消毒器の近辺とその遠方など、消毒を行う部屋の中の位置に応じて、オゾンガスの濃度にばらつきが生じるという問題があった。さらに、オゾンガスは人体に対して有毒であり、オゾンガス消毒器に不具合が生じた場合、意図した消毒時間以外にオゾンガスを発生したり、必要以上に空気中のオゾン濃度が高くなったりして、人体に悪影響を与えるという危険性があった。
【０００９】
また近年においては、病院、診療所、クリニック、介護・福祉施設等の医療施設内での緑膿菌やＭＲＳＡ（メチシリン耐性黄色ブドウ球菌（Methicillin-resistant Staphylococcus aureus））などによる汚染を原因とする日和見感染症だけでなく、２００２年のＳＡＲＳ（重症急性呼吸器症候群（Severe Acute Respiratory Syndrome））、２００９年の新型インフルエンザ、２０１４年のエボラ出血熱、２０１５年のＭＥＲＳ（中東呼吸器症候群（Middle East respiratory syndrome））など、新型または未知の微生物やウイルスなどによる感染の大流行の際に、上記医療施設などだけではなく、公共交通機関、例えば鉄道の車両内もしくは航空機の機内および／または待合室内など、輸送コンテナ内、学校、役所、図書館などの公共施設など、不特定多数の人間が行き交うさまざまな空間において、徹底的な消毒に対する必要性が突然生じたりする可能性がある。
【００１０】
また手術室などにおいてだけではなく、医療施設内の他の場所や、介護・福祉施設、公共交通機関、公共施設などにおいて使用する際には、オゾンガス消毒器を消毒を行う場所に移動させる必要があるため、その構造は移動可能にコンパクトであるのが好ましい。
【００１１】
すなわち本発明の課題は、オゾンガスを空間の全体にわたって一定濃度となるように放出できる、オゾン消毒器を提供することにある。
【課題を解決するための手段】
【００１２】
本発明者らは上記課題を解決すべく鋭意検討を重ねる中で、オゾンガス消毒器において、オゾンガス発生器の上流にオゾンガス分解フィルタを配置させることにより、上記課題が解決されることを見出し、さらに研究を進めた結果、本発明を完成するに至った。以下、「オゾンガス消毒器」と「オゾンガス消毒装置」、および、「オゾンガス分解フィルタ」と「オゾンガス分解触媒フィルタ」は、それぞれ互換的に用いる。
【００１３】
すなわち、本発明は以下に関する：
（ａ）  所定の空間内に設置され、該空間を消毒するオゾンガス消毒装置であって、
該オゾンガス消毒装置の筐体の外表面に備え付けられ、該筐体の内部で連通してなる、１または２以上の吸気口および排気口、
該吸気口と該排気口の間に備えられてなる、オゾンガス発生器、ならびに
該吸気口と該オゾンガス発生器との間に備えられてなる、オゾンガス分解フィルタを含む、前記オゾンガス消毒装置。
（ｂ）  オゾンガス発生器が、紫外線方式によるものである、（ａ）に記載のオゾンガス消毒装置。
（ｃ）  オゾンガス分解フィルタがオゾン分解金属触媒を含む、（ａ）または（ｂ）に記載のオゾンガス消毒装置。
（ｄ）  ２ｐｐｍのオゾン濃度の空気に対するオゾンガス分解フィルタのオゾンガス分解効率が７０％以上である、（ａ）〜（ｃ）のいずれかに記載のオゾンガス消毒装置。
（ｅ）  オゾンガス発生器の上流および／または下流に１または２以上の除塵フィルタを備える、（ａ）〜（ｄ）のいずれかに記載のオゾンガス消毒装置。
（ｆ）  除塵フィルタがＨＥＰＡフィルタである、（ｅ）に記載のオゾンガス消毒装置。
（ｇ）  オゾンガス発生器から発生したオゾンガスを空間内において循環させるための送風部を備えた、（ａ）〜（ｆ）のいずれかに記載のオゾンガス消毒装置。
【発明の効果】
【００１４】
本発明のオゾンガス消毒装置は、オゾン濃度が意図する濃度を超えて放出することなくオゾンガスを空間の全体にわたって一定濃度となるように放出し、かつ移動させるのに便利なコンパクトな大きさを実現し、ひいては安全に、かつ所望の任意の場所で、簡便かつ安全なオゾンガスによる消毒を実現するものである。
【図面の簡単な説明】
【００１５】
本発明をより詳細に理解するために、以下の図面について参照する。
【図１】図１は、本発明の一態様によるオゾンガス消毒装置の概略ブロック図である。
【図２】図２は、図１のオゾンガス発生器およびオゾンガス分解フィルタの配置を示す図である。
【図３】図３は、実施例１の部屋１におけるサンプリング位置を示すブロック図である。
【図４】図４は、実施例１のオゾン濃度の推移を示すグラフである。
【図５】図５は、実施例２のオゾン濃度の推移を示すグラフである。
【図６】図６は、実施例３のオゾン濃度の推移を示すグラフである。
【図７】図７は、実施例４のオゾン濃度の推移を示すグラフである。
【図８】図８は、実施例５のオゾン濃度の推移を示すグラフである。
【発明を実施するための形態】
【００１６】
本発明は、所定の空間内に設置され、該空間を消毒するオゾンガス消毒装置に関する。特定の態様においてオゾンガス消毒装置は、該オゾンガス消毒装置の筐体の外表面に備え付けられ、該筐体の内部で連通してなる、１または２以上の吸気口および排気口、該吸気口と該排気口の間に備えられてなる、オゾンガス発生器、ならびに該吸気口と該オゾンガス発生器との間に備えられてなる、オゾンガス分解フィルタを含む。好ましい態様において、該１または２以上の吸気口からの空気の実質的に全て、例えば８０％、９０％、９５％、９８％、９９．５％、９９．９％、最も好ましくは全ての空気が、該オゾンガス分解フィルタを通過する。また、好ましい態様において本発明の装置は、上記特許文献１におけるようなオゾンガス分解用の追加のユニットは含まず、かつ／または吸気口において空気の流れを開閉により切り替えるスイッチング機構を有さない。本発明の装置はその単純な機構のため、持ち運び可能なコンパクトなサイズを実現することができる。
【００１７】
本発明の他の態様において、オゾンガス発生器は、紫外線方式、放電方式、その他のいかなるオゾン発生方式を採用してもよいが、好ましくは紫外線方式によるものである。放電方式は、酸素からオゾンを放電により生成する方式であり、濃度の高いオゾンガスを発生させ得る。しかし、温度や湿度等の環境の影響を受けやすく、有毒な窒素酸化物が発生し得、またオゾンガス発生器のサイズは相対的に大きなものとなる。一方、紫外線方式は、波長が１８０ｎｍの紫外線に酸素を暴露することによりオゾンを生成する方式であり、温度や湿度等の環境の影響を受けにくく、有毒な窒素酸化物が発生しない。なおオゾンガス産生能力が相対的に低い紫外線方式のオゾンガス発生器を採用したり、オゾンガス分解フィルタをオゾンガス発生器の上流に設けると、排気口からの空気において十分な濃度のオゾンガスを実現できないとも考えられるが、驚くべきことに以下の実施例において実証されるとおり、本発明の装置は消毒に適切なオゾン濃度の維持を実現しており、かつ濃度は過剰には高くならないようになっている。
【００１８】
本発明の他の態様において、オゾンガス消毒装置は、オゾンガス分解フィルタがオゾン分解金属触媒を含む。オゾンガス分解触媒フィルタにおける分解触媒は、金属触媒、活性炭、その他の材料であってもよいが、分解触媒としてオゾン分解金属触媒を含むのが好ましく、分解触媒が実質的にオゾン分解金属触媒からなり、例えばオゾン分解触媒の７０重量％以上、８５％重量％以上、９５％重量％以上、９８％重量％以上、９９．５％重量％以上、９９．９％以上でオゾン分解金属触媒を含むのが好ましく、最も好ましくはオゾン分解触媒は完全にオゾン分解金属触媒からなる。また、オゾンガス分解触媒フィルタは、フェルト状に製作されてもよい。さらに、オゾンガス分解触媒フィルタは、ハニカム構造で製作されてもよい。
【００１９】
オゾンガス分解フィルタのオゾン分解効率、つまり該フィルタ通過前の空気中のオゾン濃度に対する、該フィルタ通過後の空気中のオゾン濃度の比率は、通過前のオゾン濃度により変動し、一般に通過前のオゾン濃度が高くなると該分解効率は低下するが、本発明の他の態様において、オゾンガス分解フィルタは、２ｐｐｍのオゾン濃度の空気に対し分解効率が７０％以上、好ましくは８０％以上、より好ましくは９０％以上、最も好ましくは９５％以上である。なお、２ｐｐｍのオゾン濃度の空気に対するオゾンガス分解フィルタの分解効率が９５％である場合、オゾンガス分解フィルタ通過後の空気のオゾン濃度は、作業環境基準の０．１ｐｐｍとなる。
【００２０】
本発明の他の態様において、オゾンガス消毒装置は、オゾンガス発生器の上流および／または下流に１または２以上の除塵フィルタを備え、好ましくは除塵フィルタはＨＥＰＡフィルタである。
【００２１】
本発明の他の態様において、オゾンガス消毒装置は、オゾンガス発生器から発生したオゾンガスを空間内において循環させるための送風部を備える。該送風部は好ましくは筐体内の吸気口と排気口との間の空気連通部に設けられるが、オゾンガス分解フィルタの上流、オゾンガス発生器の下流、またはオゾンガス分解フィルタとオゾンガス発生器の間のいずれに設けられていてもよいが、より好ましくは吸気口または排気口に隣接して設けられる。なお送風部は、吸気口のさらなる上流または排気口のさらなる下流に設けられていてもよい。送風部は１つであってもよく、または２つもしくは３つ以上であってもよい。送風部が２つ以上設けられる場合は好ましくは、吸気口、オゾンガス分解フィルタ、オゾンガス発生器、吸気口の位置関係において、それぞれ異なる位置に配置されるのが好ましいが、２つ以上が同じ位置に配置されていてもよい。また該送風部の風量は、２つ以上の送風部が設けられる場合はそれぞれが、または合計して、０．１〜１０ｍ３／ｍｉｎ、好ましくは０．５〜５ｍ３／ｍｉｎ、より好ましくは１〜３ｍ３／ｍｉｎ、最も好ましくはおよそ２ｍ３／ｍｉｎである。
【００２２】
本発明によるオゾンガス消毒装置は、吸気口とオゾンガス発生器との間にオゾンガス分解フィルタを備えることにより、空間内のオゾン濃度を時間的および空間的に調節可能とし、安定したオゾン濃度を実現し、消毒を行う空間において、その位置によるオゾンガスの濃度のばらつきを防ぐ。また、オゾンガス消毒装置に不具合が生じた場合であっても、意図した消毒時間以外に発生し続けるオゾンガスを分解フィルタが分解することにより、人体などへの悪影響は低減する。
【００２３】
本発明によるオゾンガス消毒装置は原則的には、無人の閉鎖空間において動作させるものであるが、装置動作中の空間中の空気中のオゾン濃度は消毒能力を保持しつつも、ある程度の安全性を有する濃度であるのがよく、好ましくはオゾン発生とオゾン分解を同時に行う機構を採用する。この場合、オゾン発生濃度の安定性およびオゾンガス分解フィルタの分解処理能力の安定性から、オゾン発生とオゾン分解処理の平衡が取れた時点で、ある時間以降のオゾン濃度の上昇が止まり、安定した濃度が維持され、動作中に例えば０．１〜１０ｐｐｍの、好ましくは０．５〜５ｐｐｍの、より好ましくは１〜３ｐｐｍの、なおより好ましくは１．５〜２．５ｐｐｍの、最も好ましくはおよそ２ｐｐｍの、空気中オゾン濃度を空間において維持するのが好ましい。
【００２４】
本発明のオゾンガス消毒装置は、任意の容積の空間において、例えば１〜１０００ｍ３の、好ましくは１０〜１００ｍ３の、より好ましくは２０〜８０ｍ３の、最も好ましくは３０〜６０ｍ３の空間において、動作開始後２時間程度で、好ましくは１時間程度で、空間全体を２ｐｐｍ程度の空気中オゾン濃度とする性能を有するのが好ましく、また空気中オゾン濃度が２ｐｐｍ程度の空間において、オゾンガス発生器動作停止後２時間程度で、好ましくは１時間程度で、空間全体の空気中オゾン濃度を０．１ｐｐｍにまで低減させる性能を有するのが好ましい。
【００２５】
本発明によるオゾンガス消毒装置は、病院、診療所、クリニック、介護・福祉施設等の医療施設内、特に術後の手術室内など、および／または、鉄道の車両内もしくは航空機の機内等の公共機関の利用空間内および／または待合室内、その他の空間において、床、壁、空間内に設置されたテーブル等の人の手が触れ得る場所だけでなく、天井、空間の隅等まで、空間全体を均一に消毒するために使用され得る。
【００２６】
以下において、本発明の一態様によるオゾンガス消毒装置の構成について、図１および図２を参照しながら詳述する。
【００２７】
図１には、本発明の一態様によるオゾンガス消毒装置の概略ブロック図が示される。図１において、オゾンガス消毒装置１００は、ベース部１０１、オゾン発生／分解部１０２、表示部１０３および送風部１０４を備える。また、オゾンガス消毒装置１００は、制御用電源部１１０、制御用基板１１２、オゾンランプ安定器（点灯用電源）１１４、点灯用グローランプ１１６、オゾンガスランプ１１８、集塵用プレフィルタ１２０、集塵用ＨＥＰＡフィルタ１２２、オゾンガス分解触媒フィルタ１２４、循環用ファン１２６および電源ケーブル１２８から構成される。
【００２８】
図２には、図１で示された本発明の一態様によるオゾンガス消毒装置のオゾン発生／分解部１０２について、オゾンガスランプ１１８、集塵用プレフィルタ１２０、集塵用ＨＥＰＡフィルタ１２２およびオゾンガス分解触媒フィルタ１２４の配置の例が示される。図２において、空気は左から右に流れる。そして、左から流入する空気に含まれる塵埃等は、集塵用プレフィルタ１２０および集塵用ＨＥＰＡフィルタ１２２において取り除かれる。なお、該フィルタの配置はこれに限定されず、オゾンガスランプ１１８およびオゾンガス分解触媒フィルタ１２４との関係で他の位置に置かれてもよい。つまり本発明の他の態様において、集塵用プレフィルタ１２０および集塵用ＨＥＰＡフィルタ１２２は別個に、空気の流れに対してオゾンガスランプ１１８およびオゾンガス分解触媒フィルタ１２４の上流、間または下流に配置されてもよいが、好ましくは図２に示されるように、ともにオゾンガス分解触媒フィルタの上流に配置される。本明細書において「上流」とは、オゾンガス消毒装置筐体内部における空気の流れの吸気口の側のことに言及し、吸気口のさらなる上流もまた包含し、それに対し「下流」とは排気口の側のことに言及し、排気口のさらなる下流もまた包含する。
【００２９】
前記空気の流れにおいて、流入した空気のオゾン濃度は、オゾンガス分解触媒フィルタ１２４において所望の濃度にまで分解される。本発明の一態様において、流入した空気に含まれるオゾンガスは、オゾンガス分解触媒フィルタ１２４において７０％が分解され、該オゾンガス分解触媒フィルタ１２４を通過した後の空気のオゾン濃度は、３０％に低減する。本発明の好ましい一態様においては、流入した空気に含まれるオゾンガスは、オゾンガス分解触媒フィルタ１２４により９５％が分解され、該オゾンガス分解触媒フィルタ１２４を通過した後の空気のオゾン濃度は、５％に低減する。さらに前記空気の流れにおいて、オゾンガス分解触媒フィルタ１２４を通過した空気のオゾン濃度は、オゾンガスランプ１１８において所望の濃度にまで上昇し得る。
【００３０】
本発明の一態様において、オゾンガスランプ１１８は、紫外線方式を採用するオゾンガス発生器として示される。また、オゾンガスランプ１１８の本数は、１本、２本またはそれ以上であってもよい。
【００３１】
以下では、本発明の一態様における動作原理を示す。
【００３２】
オゾンガスは、オゾンガスランプ１１８が点灯することによって発生し、循環用ファン１２６によって空間内に拡散し、オゾンの酸化還元作用によって設備表面に存在する微生物やウイルスなどを不活性化する。一方、空間内循環後のオゾンガスは、循環用ファン１２６によって装置内に取り込まれ、オゾンガス解触媒フィルタ１２４を通過することによって分解される。また、空間に存在する浮遊菌については、集塵用プレフィルタ１２０および／または集塵用ＨＥＰＡフィルタ１２２によって捕捉され、オゾンガスの通過時に同時に殺菌および消毒され、不活性化する。
【００３３】
以下では、本発明の一態様によるオゾンガス消毒装置におけるオゾン発生およびオゾン分解の原理を記載する。
【００３４】
本発明の一態様によるオゾンガス消毒装置におけるオゾン発生について、オゾン発生方式のうち紫外線方式が採用される。オゾンガスランプ１１８により、１８０ｎｍの波長の紫外線が発生し、その紫外線は大気中の酸素に吸収され、励起状態の酸素原子Ｏ（１Ｄ）と基底状態の酸素原子Ｏ（３Ｐ）が発生する（式（１）を参照）。そして、基底状態の酸素原子Ｏ（３Ｐ）は、酸素Ｏ２と結合し、オゾンＯ３を生成する（式（２）を参照）。
Ｏ２＋ｈｖ（１８０ｎｍ）  →  Ｏ（１Ｄ）＋Ｏ（３Ｐ）      （１）
Ｏ（３Ｐ）＋Ｏ２  →  Ｏ３      （２）
【００３５】
次に、本発明の一態様によるオゾンガス消毒装置におけるオゾン分解について、オゾンガス分解触媒フィルタ１２４による反応過程は以下のとおりとなる。なお、Ｍはオゾンガス分解触媒を表すものとする。
Ｏ３＋Ｍ  →  Ｍ−Ｏ＋Ｏ２      （３）
Ｍ−Ｏ＋Ｏ３  →  Ｍ＋２Ｏ２      （４）
【００３６】
上記式（３）の式の反応の結果オゾンが分解され酸素分子と触媒の余った腕に酸素分子が結合したもの（Ｍ−Ｏ）が生成される。Ｍ−ＯはさらにＯ３と反応し、式（４）のように２つの酸素分子が生成される。
【実施例】
【００３７】
本発明の一態様によるオゾンガス消毒装置の微生物学的性能について、ＪＩＳ  Ｔ７３２８：２００５  ４．５（消毒器の微生物学的性能）および５．５（消毒器の微生物学的性能）を参考に、バイオロジカルインジケータ（生物学的指標、以下「ＢＩ」と記す）における生存数の減少を測定した。ＢＩは、寒天培地プレートとした。
【００３８】
試験方法
ＧＬ−１６型（合成石英オゾンランプ）を２本組み込んだ、本発明の一態様におけるオゾンガス消毒装置を部屋１（部屋容積約３０ｍ３）、部屋２（部屋容積約６０ｍ３）、部屋３の（部屋容積約４５ｍ３）入り口付近に設置し、運転した。
【００３９】
オゾン濃度測定は、装置吹き出し口及び部屋の奥側、天井の３か所で測定した。ただし、天井については６０ｍ３の部屋容積のみ測定した。装置風量は２ｍ３／ｍｉｎとした。対象菌は下記の４菌種とした（実施例１、４、５のみ大腸菌を除く３菌種）。
１）  Ｐ．ａｅｒｕｇｉｎｏｓａ（ＮＢＲＣ  ３０８０：緑膿菌）
２）  Ｓ．ａｕｒｅｕｓ（ＮＢＲＣ  １２７３２：ＭＳＳＡ）
３）  Ｓ．ａｕｒｅｕｓ（ＩＩＤ  １６７７：ＭＲＳＡ）
４）  Ｅ．ｃｏｌｉ（ＮＢＲＣ  ３９７２：大腸菌）
【００４０】
滅菌水に懸濁させた菌体を無希釈及び１０倍希釈し、その菌液０.１ｍｌを寒天培地に滴下して、塗抹した（１０７〜１０８／プレート）。寒天培地は処理後にトリプトソイ寒天培地を重層して、３５℃、４８時間培養後の生菌数を測定した。なおコントロールとして、オゾンガス消毒装置を設置した空間に隣接する通常の空間に配置したプレートを、同様に培養し、生菌数を測定した。
【００４１】
部屋の容積に関するオゾン消毒モード別に各１回検証し、消毒の再現性としてモード１（部屋容積１０〜３０ｍ３）に関し、総計３回検証した。また、実施例１〜５の計５回にて信頼性評価も含め評価した。
【００４２】
図３で、部屋１におけるサンプリング位置を示す。ａは、天井付近（床面より２．７ｍ）のオゾン濃度測定位置を示す。ただし、天井については６０ｍ３の部屋容積のみ測定した。ｂは、作業テーブル上面（床面より１．２ｍ）のオゾン濃度測定位置を示す。ｃは、装置吹出口（床面より約０．７ｍ）のオゾン濃度測定位置を示す。オゾン濃度測定は、ＥＧ−２００１Ｒ、ＥＧ−３０００（ともに荏原実業株式会社）などを用いて行い、シャ−レ（寒天平板）処理位置は、〔１〕〜〔５〕に各２枚とした。
【００４３】
〔実施例１〕
消毒モード１、部屋１（部屋容積３０ｍ３）にて実施した。オゾン濃度の推移を図４に示す。また、殺菌効果は以下の表のとおりとなった（殺菌効率：ｌｏｇ（Ｎ／Ｎ０）、Ｎ：それぞれの処理プレートにおける生菌数、Ｎ０：コントロールにおける生菌数）。
【表１】
2020146471.tif 000003
【００４４】
〔実施例２〕
消毒モード１、部屋１（部屋容積３０ｍ３）にて実施した。オゾン濃度の推移を図５に示す。また、殺菌効果は以下の表のとおりとなった（殺菌効率：ｌｏｇ（Ｎ／Ｎ０））。
【表２】
2020146471.tif 000004
【００４５】
〔実施例３〕
消毒モード１、部屋１（部屋容積３０ｍ３）にて実施した。オゾン濃度の推移を図６に示す。また、殺菌効果は以下の表のとおりとなった（殺菌効率：ｌｏｇ（Ｎ／Ｎ０））。
【表３】
2020146471.tif 000005
【００４６】
〔実施例４〕
消毒モード３、部屋２（部屋容積６０ｍ３）にて実施した。オゾン濃度の推移を図７に示す。また、殺菌効果は以下の表のとおりとなった（殺菌効率：ｌｏｇ（Ｎ／Ｎ０））。
【表４】
2020146471.tif 000006
【００４７】
〔実施例５〕
消毒モード２、部屋３（部屋容積４５ｍ３）にて実施した。オゾン濃度の推移を図８に示す。また、殺菌効果は以下の表のとおりとなった（殺菌効率：ｌｏｇ（Ｎ／Ｎ０））。
【表５】
2020146471.tif 000007
【００４８】
試験結果
３菌種（初回は４菌種）を寒天培地上に固定しオゾン曝露を行った結果、測定箇所によらず６桁以上の殺菌効率であることを確認した。またいずれの実施例においても、装置の排気口付近においてはオゾン発生器動作開始後３０分以内に、部屋の隅部においては動作開始後約１時間程度に達し、オゾン濃度は２ｐｐｍ程度に達し、それ以降に動作停止時にまでほぼ一定した濃度を維持していた。また動作停止後は、０．１ｐｐｍ程度へのオゾン濃度の低減を、装置の排気口付近においてはオゾン発生器停止後約３０分後において、部屋の隅部においては約１時間後に達成した。
【産業上の利用可能性】
【００４９】
以上のように、本発明のオゾンガス消毒装置は、オゾン発生器の上流にオゾン分解フィルタを配置し、かつ、その大きさを移動させるのに便利なコンパクトな大きさとすることにより、消毒を行う空間内のオゾン濃度を安定化し、徹底的な消毒に対する必要性が突然生じた場合であっても、当該オゾンガス消毒装置を移動させて消毒を行うことが可能となる。よって、本発明のオゾンガス消毒装置が実用化されれば、安全に、かつ所望の任意の場所で、簡便かつ安全なオゾンガスによる消毒を実現し、従来のオゾンガス消毒の限界を大きくブレイクスルーして、ひいては豊かな社会発展の基盤となる。
【符号の説明】
【００５０】
１００  オゾンガス消毒装置
１０１  ベース部
１０２  オゾン発生／分解部
１０３  表示部
１０４  送風部
１１０  制御用電源部
１１２  制御用基板
１１４  オゾンランプ安定器（点灯用電源）
１１６  点灯用グローランプ
１１８  オゾンガスランプ
１２０  集塵用プレフィルタ
１２２  集塵用ＨＥＰＡフィルタ
１２４  オゾンガス分解触媒フィルタ
１２６  循環用ファン
１２８  電源ケーブル
【図１】
2020146471.tif 000008
【図２】
2020146471.tif 000009
【図３】
2020146471.tif 000010
【図４】
2020146471.tif 000011
【図５】
2020146471.tif 000012
【図６】
2020146471.tif 000013
【図７】
2020146471.tif 000014
【図８】
2020146471.tif 000015
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
本明細書に記載の発明。